(57)【要約】      （修正有）【課題】独居世帯者（以後、ユーザ）の安否を複数監視する支援者にて、個別訪問や２４時間体制での安否確認を効率化し、労働力の負担軽減を行う集中監視及び通報システムを提供する。【解決手段】複数のユーザに対し安否確認を行う集中監視システムであり、各ユーザ宅には、火災を検知するセンサ４０、動体を検知するセンサ３０，３１、停電を検知するセンサ５０、ユーザ本人が緊急を知らせる通報ボタンを設ける。これらの検知信号を受信すると、端末局認識データ及び時間データを状態変化データに付加することで通信用データを生成し、記憶媒体へ記憶すると共に監視局に通信用データを送信する端末機器１と、ネットワークを介し接続され、前記の通信用データを監視局２のサーバにて受信し、データベース部へ保存すると共に、外部関係者向けにパソコン及び携帯電話用ＷＥＢ画面生成を自動で行い、状態変化をメールにて通報する【選択図】図１
0003160134.tif 000002
【実用新案登録請求の範囲】
【請求項１】
複数のユーザに対し安否確認を行う集中監視システムであり、各ユーザ宅には、火災を検知するセンサ、動体を検知するセンサ、停電を検知するセンサ、ユーザ本人が緊急を知らせる通報ボタンがあり、これらの検知信号を受信すると、端末局認識データ及び時間データを状態変化データに付加することで通信用データを生成し、記憶媒体へ記憶すると共に、監視局に通信データを送信する端末機器と、ネットワークを介し接続され、前記述の通信データを監視局のサーバにて受信し、データベース部へ保存する。これと同時に外部関係者向けにＷＥＢ画面（パソコン及び携帯電話向け）生成を自動で行う。また、状態変化をメールにて通報する機能を備える。これらの機能を特徴とする監視システム。
【請求項２】
複数のユーザに配置された、複数のセンサからの検知信号を一括集中して監視する安否確認集中監視システム。
【請求項３】
サーバは、前記述の通信データを使用することで、ユーザ支援者に対し、監視情報のＷＥＢ画面を自動生成することにより、パソコン及び携帯電話への提供機能を備える安否確認集中監視システム。
【請求項４】
サーバは、前記述の通信データを使用することで、監視局にて安否の監視情報を集中管理し、インターネット上へＩＤ，パスワードといったセキュリティを込みとしたＷＥＢ画面を自動生成し、ユーザ関係者のみに特定し配信するプログラム。
【考案の詳細な説明】
【技術分野】
【０００１】  本考案は、安否検知システム構築での、端末局（宅内）における検知方法及び通信方法、また、監視局における監視方法及び通知方法、それらに用いられるハードウェア、ソフトウェアに関する。
【背景技術】
【０００２】  近年の独居世帯が増加する中で、安否を確認するための手段へのニーズが高まっている。現在、安否確認におけるインターネット網を利用した通知が多様化している中で、安否を確認する事業者等は増加するユーザに対し、効率よく、且つ、効果的に対応する必要性が高くなっている。【０００３】  特許公開２００２−２１６２７２では、インターネット網を利用したシステムが提案されている。この中で、監視先に対してパーソナルコンピュータ（以後、パソコン）を設置し、ソフトウェアを動作させることで、監視元との通信を行い監視するものとしている。【０００４】  特許公開２００４−２５９０９７でも、インターネット網を利用したシステムが提案されている。この中で、監視先に対してパソコンを設置し、ソフトウェアを動作させることで、指定された相手に対してメール通知等を行うものとしている。
【考案の概要】
【考案が解決しようとする課題】
【０００５】  各特許文献では、監視先にパソコンを設置することで、入力される信号や解析されたデータを処理させ、監視先に対して監視データの送付を行う、又は、監視データの通知を行うものとしている。この場合、停電時の監視や、熱暴走等によるパソコンＯＳのフリーズ時には監視が行われないことになる。【０００６】  また、監視元が多数の監視先を有する事業者等の場合、これらのシステム構成ではデータを一つ一つ解析することになり、一括監視ができず効率よく監視することができないという問題がある。【０００７】  本考案は、監視先にパソコンを使用しないことによるリスク回避と、多数の監視先を有する場合に用いられるシステムを提供することを目的とする。
【課題を解決するための手段】
【０００８】  本考案の目的を達成するためには、端末局にて、動体を検知するセンサ、火災を検知するセンサ、停電を検知するセンサからの検知信号を受信し、受信した検知信号と関連情報を端末局認識データと共に状態変化情報として生成し、記憶媒体に記憶すると同時に、ネットワークを介して通信データとして送信する。送信されたデータは、監視局にて受信され、端末局認識データを基にデータベースを生成し、このデータからメール通報や自動生成機能によるＷＥＢ画面を生成を行うことで、端末局と監視局にて集中監視と通報を実現する。【０００９】  端末局では、動体検知センサ、火災検知センサ、停電検知センサを用いた検知部、ユーザ自ら通報する緊急通報信号発生部、検知等入力信号の受信部、検知信号及び関連情報を端末局認識データと共に状態変化情報として生成する解析部、状態変化情報を記憶媒体に記憶する記憶部、状態変化情報を監視局へ送信する通信部を有する。また、パソコンは使用せずに、マイクロコンピュータ（以後、マイコン）を使用した自立型機器にバッテリ起動を採用することで、停電や熱暴走に対するリスクを軽減する。【００１０】  監視局では、各端末局からの状態変化情報の受信部、受信データをデータベース化するデータベース部、データベース化された情報を解析する解析部、解析された情報を基にＷＥＢ画面を生成する画面生成部、監視情報通知を行う通報部、インターネット網による違法アクセス防止を行うセキュリティ部を有する。また、マスター・スレーブ機能を持たせることで、異常発生時のリスク軽減を行う。【００１１】  端末局及び監視局の各処理部にて、情報処理を安定化させ、情報の集中監視及び通報を提供することを特徴とする。
【考案の効果】
【００１２】  本考案の安否確認及び通報システムによる集中監視によると、端末局の検知及び監視局への通信、監視局の解析及び通報、これらに使用されるハードウェア、ソフトウェアから、監視局へ送信される多数の通信データを状態変化情報として監視することで、端末局認識データを基に、検知信号及び付帯情報による安否確認に必要な行動想定を、一括集中して監視者に提供することが可能となる。
【考案を実施するための形態】
【００１３】  以下は、図面を参照し、本考案を詳細説明する。
図１は、本考案の安否確認及び通報システムによる集中監視における構成図である。ユーザ宅は、独居世帯者（以下、ユーザ）宅であり、１を使用することで、安否の状態を各種センサ群（３０，３１，４０，５０）にて検知及び緊急通報用信号発生（６０）にて、監視局の２に対し、情報を送信するシステムである。
【００１４】  監視局は、介護ステーションや病院等のユーザ支援者（以下、支援者）であり、２は、受信したデータを編集し、５へ記憶する。また、記憶されたデータは２にて解析処理され、３の画面によるＷＥＢ監視１０や、メールによるメール通報２０を基本として通報される。また、アクセス制限によるセキュリティを確保し、ユーザ関係者１のような外部へのアクセス用ＷＥＢ画面（ＷＥＢ監視１１）を用意することで、情報開示を行い、メール通報（メール通報２１）も行うことを可能とする。このほか、ユーザ関係者２のような設定された関係者に対する携帯電話への情報開示（ＷＥＢ監視１２）やメール通報（メール通報２２）を可能とする。
【００１５】  センサ群として、３０，３１，４０，５０をユーザ宅に設置するが、センサの数については、ユーザの生活習慣に合わせ、検知する数量を調整する。また、ユーザ自身が通報ができるよう６０を用意する。
【００１６】  １は、センサ群から状態変化により検知された信号及びユーザからの通報された信号をＤＩモジュールにて入力し、ＤＯモジュールにて状態変化が発生した信号に該当するＬＥＤを点灯させることでユーザに知らせる。この状態変化データに、端末局認識データ及び時間データを付加した上で記憶媒体に記憶すると同時に、イーサネットモジュールにて通信させ、指定された監視局の２にインターネット網を利用し、データを配信する。また、停電発生時には１に内蔵されたバッテリにて動作し、同時に停電検知信号を状態変化データとして、センサ群と同様の処理を行う。
【００１７】  ２は、各ユーザ宅からの通信データをイーサネットモジュールにより受信し、端末局認識データ、時間データ、センサ群検知データ、緊急通報データを、それぞれ５に記録する。５内の各データを使用し、ＷＥＢ監視１０及びＷＥＢ監視１１のためパソコン用ＷＥＢ画面を自動生成すること、及び、ＷＥＢ監視２２のため携帯電話用ＷＥＢ画面を自動生成する。また、状態変化を認識すると同時にメール通報２０〜メール通報２２に対して、設定された情報のメール送信提供を行う。
【００１８】  ユーザ関係者１及びユーザ関係者２は、ＷＥＢ監視１１及びＷＥＢ監視２２をＨＴＴＰプロトコルにて、画面表示させる。ユーザ関係者はセキュリティ保護のため、ＩＤ及びパスワード認証を行い、部外者への情報漏えいを防止する。
【００１９】  本考案により、安否確認を必要とするユーザ宅のセンサ群情報を、安否確認する業務を行う監視局にて、ユーザの安否を監視する。また、ユーザ関係者１やユーザ関係者２は、必要な時にユーザ宅の監視情報をＷＥＢ又はメールにて確認することができる。
【００２０】  以上、本考案について、実施形態に基づく説明を行った。本考案のシステムは、説明された構成のみに限定されず、種種の修正や変更を行うものも範囲内に含まれる。
【図面の簡単な説明】
【００２１】
【図１】本考案のシステム構成図
【図２】図１に示されたユーザ宅１内のセンサ群及び端末機器０１構成図
【図３】図１に示された監視局１内のサーバ０１及びデータベース０１構成図
【図４】図１に示されたインターネット網を活用したデータ配信構成図
【図５】動作に関するフローチャート
【符号の説明】１：端末機器
２：サーバ
３，３Ａ：パソコン
４：携帯電話
５：データベース
６：記憶媒体
３０，３１：動体検知センサ
４０：火災検知センサ
５０：停電検知センサ
６０：緊急通報ボタン
【図１】
0003160134.tif 000003
【図２】
0003160134.tif 000004
【図３】
0003160134.tif 000005
【図４】
0003160134.tif 000006
【図５】
0003160134.tif 000007
【手続補正書】
【提出日】平成21年12月18日(2009.12.18)
【手続補正１】
【補正対象書類名】明細書
【補正対象項目名】００１６
【補正方法】変更
【補正の内容】
【００１６】  １は、センサ群から状態変化により検知された信号及びユーザからの通報された信号をＤＩモジュールにて入力し、ＤＯモジュールにて状態変化が発生した信号に該当するＬＥＤを点灯させることでユーザに知らせる。この状態変化データに、端末局認識データ及び時間データを付加した上で記憶媒体に記憶すると同時に、イーサネット（登録商標）モジュールにて通信させ、指定された監視局の２にインターネット網を利用し、データを配信する。また、停電発生時には１に内蔵されたバッテリにて動作し、同時に停電検知信号を状態変化データとして、センサ群と同様の処理を行う。
【手続補正２】
【補正対象書類名】明細書
【補正対象項目名】００１７
【補正方法】変更
【補正の内容】
【００１７】  ２は、各ユーザ宅からの通信データをイーサネット（登録商標）モジュールにより受信し、端末局認識データ、時間データ、センサ群検知データ、緊急通報データを、それぞれ５に記録する。５内の各データを使用し、ＷＥＢ監視１０及びＷＥＢ監視１１のためパソコン用ＷＥＢ画面を自動生成すること、及び、ＷＥＢ監視２２のため携帯電話用ＷＥＢ画面を自動生成する。また、状態変化を認識すると同時にメール通報２０〜メール通報２２に対して、設定された情報のメール送信提供を行う。
【手続補正３】
【補正対象書類名】実用新案登録請求の範囲
【補正対象項目名】全文
【補正方法】変更
【補正の内容】
【実用新案登録請求の範囲】
【請求項１】
複数のユーザに対し安否確認を行う集中監視システムであり、各ユーザ宅には、火災を検知するセンサ、動体を検知するセンサ、停電を検知するセンサ、ユーザ本人が緊急を知らせる通報ボタンがあり、これらの検知信号を受信すると、端末局認識データ及び時間データを状態変化データに付加することで通信用データを生成し、記憶媒体へ記憶すると共に監視局に通信データを送信する端末機器と、ネットワークを介し接続され、前記述の通信データを監視局２のサーバにて受信し、データベース部へ保存すると共に、外部関係者向けにパソコン及び携帯電話用ＷＥＢ画面生成を自動で行い、状態変化をメールにて通報する機能を備える。これらの機能を特徴とする監視システム。
【請求項２】
複数のユーザに配置された、複数のセンサからの検知信号を一括集中して監視することを特徴とする請求項１記載の監視システム。
【請求項３】
サーバは、請求項１に記載する通信用データを使用することで、ユーザ支援者に対し、監視情報のＷＥＢ画面を自動生成することにより、パソコン及び携帯電話への提供機能を備えることを特徴とする請求項１記載の監視システム。
【手続補正書】
【提出日】平成22年3月16日(2010.3.16)
【手続補正１】
【補正対象書類名】実用新案登録請求の範囲
【補正対象項目名】請求項１
【補正方法】変更
【補正の内容】
【請求項１】
複数のユーザに対し安否確認を行う集中監視システムであり、各ユーザ宅には、火災を検知するセンサ、動体を検知するセンサ、停電を検知するセンサ、ユーザ本人が緊急を知らせる通報ボタンがあり、これらの検知信号を受信すると、端末局認識データ及び時間データを状態変化データに付加することで通信用データを生成し、記憶媒体へ記憶すると共に監視局に通信用データを送信する端末機器と、ネットワークを介し接続され、前記通信用データを監視局２のサーバにて受信し、データベース部へ保存すると共に、外部関係者向けにパソコン及び携帯電話用ＷＥＢ画面生成を自動で行い、状態変化をメールにて通報する機能を特徴とする監視システム。
【手続補正２】
【補正対象書類名】実用新案登録請求の範囲
【補正対象項目名】請求項３
【補正方法】変更
【補正の内容】
【請求項３】
サーバは、前記通信用データを使用することで、ユーザ支援者に対し、監視情報のＷＥＢ画面を自動生成することにより、パソコン及び携帯電話への提供機能を備えることを特徴とする請求項１記載の監視システム。